Podtech/llm-jp-corpus-v4-ja_patent huggingface dataset:
(57)【要約】【課題】簡便な処理で、風味に優れ、しかも保存安定性の良いお酒が得られることが望まれる。【解決手段】穀類を麹菌により糖化した後、酵母によりアルコール発酵させて得られたスラリーから固形分を除去し、５０℃以上で加熱処理をしていないものであって、２８℃で７３日間保存した後のイソバレルアルデヒド濃度が０．８ｐｐｍ以下である酒類であり、穀類を麹菌により糖化した後、酵母により発酵させて得られたスラリーから固形分を除去した後に５０℃〜３０℃で１００〜６００ＭＰａの静水圧を負荷し処理することを特徴とする酒類の製造方法。【選択図】なし【特許請求の範囲】
【請求項１】
穀類を麹菌により糖化した後、酵母によりアルコール発酵させて得られたスラリーから固形分を除去し、５０℃以上で加熱処理をしていないものであって、２８℃で７３日間保存した後のイソバレルアルデヒド濃度が０．８ｐｐｍ以下である酒類。
【請求項２】
穀類を麹菌により糖化した後、酵母によりアルコール発酵させて得られたスラリーから固形分を除去したものであって、残存する少なくとも一種以上の酵素を５０℃未満から３０℃で１００〜６００ＭＰａの静水圧を負荷し不活性化した酒類。
【請求項３】
穀類を麹菌により糖化した後、酵母により発酵させて得られたスラリーから固形分を除去した後に５０℃未満から３０℃で１００〜６００ＭＰａの静水圧を負荷し処理することを特徴とする酒類の製造方法。
【発明の詳細な説明】
【技術分野】
【０００１】
本願発明は、醸造酒中に存在する酵素を高温によらず不活性化した酒類及びその製造方法に関する。
【背景技術】
【０００２】
種々の穀類に含まれるでんぷんを麹菌により糖化したのち酵母によってアルコール発酵させることは良く知られている。通常、こうして得られたスラリーはろ過、遠心分離、静置分離などにより固形分を除去して透明なお酒とされるが、お酒の中には種々の酵素が存在しており、保存中に予期しない反応が進み、お酒の劣化を招くため通常は６０℃など比較的高温で加熱処理することで不活性化するか、精密ろ過により酵素を除去するか、酵素が不活性となるような低温での保存が行われている。
【０００３】
一方、静水圧を掛けることで殺菌する方法が知られており（特許文献１）、また酵素の働きを抑えるため静水圧を用いることも提案されている（特許文献２）。
【先行技術文献】
【特許文献】
【０００４】
【特許文献１】特開昭６２−６６８６２号公報
【特許文献２】特開昭６３−９４９５５号公報
【発明の概要】
【発明が解決しようとする課題】
【０００５】
高温での熱処理は、お酒の風味を損なう問題があり、精密ろ過は操作が煩雑であるし必要な風味を失うという問題がある。また、低温での保存は煩雑な上、保存期間中継続的に費用を要する。また、静水圧を掛けて酵素の働きを抑える方法は有用であるが２０℃程度の低温での加圧では効果が十分ではなく処理後も比較的低温での保存が必須であった。
【０００６】
簡便な処理で、風味に優れ、しかも保存安定性の良いお酒が得られることが望まれる。
【課題を解決するための手段】
【０００７】
本発明者らは上記課題を解決した酒類およびその製造方法について鋭意検討し本発明を完成した。
【０００８】
即ち、本発明は、穀類を麹菌により糖化した後、酵母によりアルコール発酵させて得られたスラリーから固形分を除去し、５０℃以上で加熱処理をしていないものであって、２８℃で７３日間保存した後のイソバレルアルデヒド濃度が０．８ｐｐｍ以下である酒類である。
【０００９】
本発明はまた、穀類を麹菌により糖化した後、酵母によりアルコール発酵させて得られたスラリーから固形分を除去したものであって、残存する少なくとも一種以上の酵素を５０℃未満から３０℃で１００〜６００ＭＰａの静水圧を負荷し不活性化した酒類である。
【００１０】
本発明はまた、上記酒類を製造する方法であり、穀類を麹菌により糖化した後、酵母により発酵させて得られたスラリーから固形分を除去した後に５０℃未満から３０℃で１００〜６００ＭＰａの静水圧を負荷し処理することを特徴とする酒類の製造方法である。
【発明の効果】
【００１１】
本発明の酒類は本来の風味がそのままであり、しかも保存中の劣化が少なく工業的に極めて価値あるものであり、本発明の方法は簡便に風味に優れ、保存中の劣化が少ない酒類を製造できる方法であり工業的に極めて価値あるものである。
【図面の簡単な説明】
【００１２】
【図１】酸性カルボキシペプチダーゼ活性（酵素活性）の変化を示す図面である。
【図２】イソバレルアルデヒド濃度（香気成分）の変化を示す図面である。処理後２８℃、７３日間保存した試料を測定した結果を示す。
【発明を実施するための形態】
【００１３】
本発明において、種々の穀類に含まれるでんぷんを麹菌により糖化したのち酵母によってアルコール発酵させる方法については周知の方法が利用できその製造法については特に制限はない。
【００１４】
また、アルコール発酵して得られたスラリーはろ過、遠心分離、静置分離などにより固形分を除去して透明なお酒とされるが、その方法についても特に制限はない。
【００１５】
本発明において重要なのは、得られた透明な酒を、特定の温度と特定の静水圧で処理することであり、好ましい温度範囲としては、３０〜５０℃未満、特に好ましくは３５〜４５℃であり、好ましい圧力としては、１００〜６００ＭＰａ、特に好ましくは２００〜６００ＭＰａである。３０℃より低い温度では静水圧を掛けても酵素によっては、その活性を低下させる効果がほとんどなく、５０℃より高い温度では、熱により酒が変性し、好ましい酒が得られない。
【００１６】
静水圧の掛け方としては、通常の軟質の容器に酒をいれて行う方法が採用でき格別の制限はない。処理時間としては、５〜２０分、特に好ましくは１０〜２０分である。
【００１７】
このような処理を行った酒は、常温（好ましくは３０℃以下）で保存することで熟成が進み風味の優れた古酒となることが期待できる。
【実施例】
【００１８】
以下に本発明の態様の一例を実施例として示す。
【実施例１】
【００１９】
生酒材料は、李白酒造株式会社より、発酵後、１０℃以下でろ過処理のみし加熱処理していない純米酒を購入し実験に用いた。静水圧の加圧は、生酒をビニール製の容器に入れて温度を一定に制御しながら行った。酸性カルボキシペプチダーゼ活性（酵素活性、キッコーマンキットにより測定）の測定結果を図１に示した。また、７３日間保存した試料のイソバレルアルデヒド濃度（香気成分）の測定結果（ヘッドスペース法により捕集しガスクロマトグラフ法により測定）を図２に示す。４０℃での酵素活性を低下させる効果が極めて大きいことが解る。また、イソバレルアルデヒド濃度の増加は生酒特有の劣化を示すが４０℃では増加が極めて少なく、処理が有効になされ、良好な品質のお酒となっていることが容易に理解される。
【図１】
2018074964.tif 000002
【図２】
2018074964.tif 000003
(57)【要約】      （修正有）【課題】植物の表面に主に存在する有用成分を部位全体に分散させた植物の部位の提供。【解決手段】種子、果実、根、茎から選ばれた植物の部位の表面に主に存在する色素、香り成分あるいは他の有効成分を、静水圧を掛けることにより、部位全体に分散させることにより得られる植物の部位。【選択図】なし【特許請求の範囲】
【請求項１】
種子、果実、根、茎から選ばれた植物の部位の表面に主に存在する色素、香り成分あるいは他の有効成分を部位全体に分散させた植物の部位。
【請求項２】
表面に主に存在する色素、香り成分あるいは他の有効成分が色素あるいは食塩である請求項１に記載の植物の部位。
【請求項３】
種子、果実、根、茎から選ばれた植物の部位に静水圧を掛けることを特徴とする表面に主に存在する色素、香り成分あるいは他の有効成分の分散方法。
【発明の詳細な説明】
【技術分野】
【０００１】
本願発明は、植物の種子などの表面に主に存在する色素などを種子などの全体に分散したものおよびその製造方法に関する。
【背景技術】
【０００２】
植物の果実、種子、根、茎などは食用として広く利用されている。これら、食用として利用されている植物の部位はそれぞれ人にとって有用な栄養を与えてくれる貴重な食物になるものであるが、皮の部分に、偏在してポリフェノールなど有用な色素類を含んでいたり、食欲を増進する香り成分とか他の有用成分を含んでいたりしており、有用ではあるが、固く触感とか風味が悪いなど、食べ難いため表皮は剥くなどして除去されることが多い。
【０００３】
一方、植物の各部位に比較的高い静水圧を掛けることで加工することは知られており、加圧処理した穀類は簡単な処理で食べやすい加工品とすることができるとされている（特許文献１）。
【０００４】
また、一定の温度で静水圧を掛けることで有用成分を増加させることができることも知られている（特許文献２）。
【先行技術文献】
【特許文献】
【０００５】
【特許文献１】ＷＯ９２／１１７７２公報
【特許文献２】特開２０１５−０６１５１７公報
【発明の概要】
【発明が解決しようとする課題】
【０００６】
植物の有用成分を各部位の表面ではなく中心部に移動できれば、固い表皮を除いても有用な成分を摂取することが可能となることが期待される。
【課題を解決するための手段】
【０００７】
本発明者らは上記課題を解決した植物の部位について鋭意探索し本発明を完成した。
即ち、本発明は、種子、果実、根、茎から選ばれた植物の部位の表面に主に存在する色素、香り成分あるいは他の有効成分を部位全体に分散させた植物の部位に関する。
【０００８】
本発明はまた、種子、果実、根、茎から選ばれた植物の部位に静水圧を掛けることを特徴とする表面に主に存在する色素、香り成分あるいは他の有効成分の分散方法に関する。
【発明の効果】
【０００９】
本発明の植物の部位は有効成分をより多く含み食用として非常に価値あるものでありまた、本発明の方法は有用な部位を容易に製造することができ、極めて価値ある方法を提供するものである。
【図面の簡単な説明】
【００１０】
【図１】島根県雲南市で栽培される紫黒米に静水圧を掛ける前と掛けた後の断面の写真である。
【図２】松江市で栽培されている津田蕪に静水圧を掛ける前と掛けたとの断面の写真である。
【図３】大根に３％食塩を含む漬物用漬け液と共に静水圧を掛けたものと、掛けなかったものの塩素分を測定した結果である。
【発明を実施するための形態】
【００１１】
本発明において、植物の部位としては、種子、果実、根、茎が例示でき、植物の部位の表面に色素、香り成分、あるいは他の有効成分を含むものが例示される。特に、表面が固いとか、渋み、えぐみなど食し難い風味を有するなど、表皮をそのまま食することなく、皮をむいて食するような種類の植物の部位から作ると有効である。
【００１２】
本発明において静水圧で加圧するとは、植物の部位をそのまま、あるは、水を通さない柔らかいフイルムで作った袋に入れた水中に植物を入れて水を加圧することであり、好ましくは、２９４ＭＰａ〜５８８ＭＰａ、より好ましくは３９２〜５８８ＭＰａで加圧される。
【００１３】
加圧に際しての温度としては、通常０〜２５℃、特に、１５〜２０℃で行うのが好ましい。
【００１４】
加圧時間としては、好ましい範囲は用いる圧力、温度で異なるが、通常１０秒〜６０分、好ましくは、１分〜１０分である。
【００１５】
本発明において、植物としては、紫黒米などの種子、津田蕪などの根、なすなどの実など表皮は強く着色しており、内部が白色の植物が例示できる。
【実施例】
【００１６】
以下に本発明の態様の一例を実施例として示す。
【実施例１】
【００１７】
紫黒米、島根県雲南市で栽培される、玄米状態では、図面１（Ａ）に米を割った状態を示すように玄米の表皮は赤黒く着色しており、内部は白色である。一方、玄米の状態で、１８℃で５８８ＭＰａの静水圧を３分かけて処理した。図面１（Ｂ）に示すように表皮の着色が薄くなり、内部がほぼ同じ程度に着色した。この米を精米したところ表皮がはがれて白米状態の紫黒米が得られた。
【実施例２】
【００１８】
松江市で栽培されている津田蕪を実施例１と同様に処理した、前後の蕪の断面を図２（Ａ）に示す。また漬物漬け液と共に加圧処理した蕪の表皮をむいた蕪は皮がなく食べやすい上に透明感が得られ（図２（Ｂ））、またなかまでしっかりした漬物の風味がした。
【実施例３】
【００１９】
□大根に３％食塩を含む漬物用漬け液と共に実施例１と同様に処理した大根の断面を図３に示す。塩分濃度は中心部までほぼ均一になり、味にムラが無く食べやすくなった。
【図１】
2018074963.tif 000002
【図２】
2018074963.tif 000003
【図３】
2018074963.tif 000004
(57)【要約】【課題】本発明の課題は、草刈機等の草処理機を上下する場合の上下する作業のエネルギー消費を削減した畦法面草処理装置を提供することである。【解決手段】本発明は、草処理手段と同じ重量の錘を滑車を介してワイヤで吊り下げて重量バランスを取り、滑車をモーターにより回転させることで草処理手段の上下移動を行うことが可能な畦法面草処理装置を提供する。【選択図】図１
2018074971.tif 000002
【特許請求の範囲】
【請求項１】
畦法面に有って草を処理する草処理機と、畦上の平坦面に有って、前記草処理機を吊り、前記草処理機の上下の位置を制御する畦上母機と、前記草処理機と前記畦上母機との間に引かれたガイド手段と、前記草処理機とほぼ同じ重量の錘と、滑車と、前記草処理機と前記錘を前記滑車を介して吊り下げるワイヤと、前記畦上母機上にあって前記滑車の回転を制御するモーターとを備えたことで、前記草処理機の上下の移動を省エネルギーで行うことを可能とする畦法面草処理装置。
【発明の詳細な説明】
【技術分野】
【０００１】
本発明は、畦法面の草の刈り取りや草の成長を妨げる処理を行う装置に関するものである。
【背景技術】
【０００２】
従来、畦法面の草の処理として、以下のような提案がある。
２−Ｂは、特許文献１に示されるものである。畦上面を上面の道の長手方向に移動可能な移動体があり、これに接続して畦の草を刈り取る手段があるものである。これも、草刈り機の重みが移動体を通じて作業者に伝わり、危険が及ぶ危険がある。２−Ａは、前２者の特徴を備えた案であり、特許文献２に示されている。畦上面を上面の道の長手方向に移動可能な移動体があり、これにワイヤで接続して自走の草刈り機が畦法面の作業をすることが可能となっている。これも、移動体が、草刈り機に引かれているので、移動体が転倒したり、作業者に危険が及ぶ恐れがある。
両者に共通した不都合として、草刈り機を何度も上下に移動するので、草刈機の重量に逆らった作業によるエネルギー消費が大きいことがある。
【先行技術文献】
【特許文献】
【０００３】
【特許文献１】特開２００１−６１３２５
【特許文献２】特開Ｈ９−７４８４９
【発明の概要】
【発明が解決しようとする課題】
【０００４】
以上のような従来例の欠点を補い、本発明の課題は、草刈機等の草処理機を上下する場合の上下する作業のエネルギー消費を削減した畦法面草処理装置を提供する。
【課題を解決するための手段】
【０００５】
本発明にかかる畦法面草処理装置は、草処理手段と同じ重量の錘を滑車を介してワイヤで吊り下げて重量バランスを取り、滑車をモーターにより回転させることで草処理手段の上下移動を行うことが可能である。
以下、請求項に沿って記述する。
請求項１記載の発明は、畦法面草処理装置であって、
畦法面に有って草を処理する草処理機と、畦上の平坦面に有って、前記草処理機を吊り、前記草処理機の上下の位置を制御する畦上母機と、前記草処理機と前記畦上母機との間に引かれたガイド手段と、前記草処理機とほぼ同じ重量の錘と、滑車と、前記草処理機と前記錘を前記滑車を介して吊り下げるワイヤと、前記畦上母機上にあって前記滑車の回転を制御するモーターとを備えたことで、前記草処理機の上下の移動を省エネルギーで行うことを可能とする。
【発明の効果】
【０００６】
以上の様に構成されているので、本発明による畦法面草処理装置では、草刈機等の草処理機を上下する場合の上下する作業のエネルギー消費を削減することができる。
【図面の簡単な説明】
【０００７】
【図１】本発明の畦法面草処理装置の一実施態様を示す図である。
【図２】従来の畦法面草処理装置の例を示す図である。
【発明を実施するための形態】
【０００８】
本発明にかかる畦法面草処理装置は、草処理手段と同じ重量の錘を滑車を介してワイヤで吊り下げて重量バランスを取り、滑車をモーターにより回転させることで草処理手段の上下移動を行うことが可能である。
以下図に沿って説明する。
【０００９】
図１は、本発明の畦法面草処理装置の他の一実施態様を示す図である。
畦法面草処理装置は、畦法面に有って草を処理する草処理機１１０と畦上の平坦面に有って、草処理機１１０を吊り、その上下の位置を制御する畦上母機１２０があり、草処理機１１０は、これと畦上母機１２０との間に引かれたガイド手段１３０に沿って移動可能になっている。草処理機１１０を上下する場合は、草処理機１１０を引き上げ、下げするが、草処理機１１０の重量に逆らっての作業になる。
何度も上下に草処理手段１１０を移動する場合にエネルギー消費が多くなる。
１−Ａに拡大して示すように、草処理手段１１０と同じ重量の錘１４０を滑車１５０を介してワイヤ１７０で吊り下げれば、重量バランスが取れる。滑車１５０をモーター１６０により回転させれば、省エネルギーで草処理手段１１０の上下移動が可能である。
【産業上の利用可能性】
【００１０】
以上のように本発明による畦法面草処理装置は、省エネルギーで草処理機の上下移動が可能であるので産業上利用して極めて好都合である。
【符号の説明】
【００１１】
１１０  草処理機
１２０  畦上母機
１３０  ガイド手段
１４０  錘
１５０  滑車
１６０  モーター
１７０  ワイヤ
【図１】
2018074971.tif 000003
【図２】
2018074971.tif 000004
(57)【要約】      （修正有）【課題】ヒル・ナメクジ・ダニの増殖を阻止し、また、野菜花卉園芸植物の生産や農畜産物生産及び特用林産物（椎茸等のキノコ類）の生産現場におけるナメクジの増殖を阻止する方法を提供する。【解決手段】にがりの効果で阻止及び駆除する対象物に直接にがり液を次の手段で掛ける。１．山林及び原野ににがりの散布する方法：増殖拡大の阻止。２．媒介する対象生物に直接散布する方法：範囲拡大の阻止。３．動・植物園の園内に全面散布する方法：限定内の阻止。４．人や愛がん小動物に直接肌や衣服に塗る方法：肌や衣服にかける。以上の散布や塗る作業の形態は噴霧器又はボンベに充填したスプレー式の物やチュウブ容器に充填した携帯用の塗りやすいゼリー状にした物など多岐に使用可能。特に，にがりの活用方法については，にがりの希薄濃度や使用形態並びに使用方法は限定しない。【選択図】なし【特許請求の範囲】
【請求項１】
海水から塩の製塩過程で出来る副産物の「にがり」は、豆腐などの製造に欠かせない凝固剤です。その食品のにがりの成分からヒルやダニの吸血害虫と有用農林産物を食害するナメクジを「にがり」で駆除した発明は，人及び動植物の被害予防と駆除に自然の海水のにがりの有効活用。
【発明の詳細な説明】
【技術分野】
【０００１】  本発明は，海水の製塩過程で出来る「にがり」でヒルの駆除に関する。
【背景技術】
【０００２】  一般的ににがりの利用は，豆腐の凝固剤としての利用でした。しかし，一部の民間の女性の間で美肌と肥満解消に微量のにがり水の飲用や手足に塗る話を耳にしたことがありました。【０００３】  現在の湖沼や山林及び原野に生息している吸血害虫は鹿や熊及びイノシシが媒介し生息範囲を，人家付近まで餌場の拡大で獣害被害に伴い，人への被害と農林産物への被害が顕在化する傾向にあります。【０００４】  人々の自然に親しむ海・湖沼・河川や野山のハイキングのハイカーや登山者。
また，多くの人々が出入りする遊園地や動・植物園等のレジャー施設の入園者やそこに従事する人々を，ヒルやダニの吸血害虫の被害予防と駆除の安全と安心を必要としている。【０００５】  産業関連では，動物園や植物園及び野菜花卉栽培や農畜産物生産及び特用林産物（椎茸等のキノコ類）の生産現場におけるナメクジの食害予防と駆除に苦慮している。
【発明の概要】
【発明が解決しようとしている課題】
【０００６】  以上に述べたヒルやダニの増殖による吸血虫や大型獣の被害の拡大を阻止が急務の課題です。
【０００７】  本発明は，このような課題の問題を地球の大半を占める海の産物のにがりが解決するもので，古くからの製塩技術の副産物の活用は地球にやさしい環境が目的とするものです。
【課題を解決するための手段】
【０００８】  そして，本発明は上記目的を達成ためににがりの商品化をすることです。
現在，にがりではない予防薬が市販されておりますが，自然の海水から塩の製造過程で出来る副産物のにがりの有効活用で課題解決の手段は，地球環境に適したヒルやダニの増殖阻止と被害予防と駆除ににがりは最適であります。
(57)【要約】      （修正有）【課題】ソルダーレスブレッドボードに電子部品やワイヤーを間違えず取り付けられるソルダーレスブレッドボード用くみたて補助シートを提供する。【解決手段】使用するソルダーレスブレッドボード１の部品取り付け面４倍の面積の薄くて丈夫な紙を２回折ると前述部品取り付け面と等しい大きさになるようにしておき、折り曲げてできた４つの面にそれぞれ、部品とりつけ位置面、回路図と部品リスト面、固定抵抗器のカラーコード解読面、電子回路の説明面、をカラー印刷しておく。このとき同時に印刷面を見ると今装着した部品番号から回路図内のどの部分に装着したのかがその部品名と共に理解でき、極性方向のある部品も間違いなく装着できる。ブレッドボード面には部品とりつけに必要な穴だけが印刷されているので全ての穴が埋まれば完成となり、部品の取り付け忘れはおきない。【選択図】図４
2018074129.tif 000002
【特許請求の範囲】
【請求項１】
既成ソルダーレスブレッドボード部品取り付け面４倍の大きさの紙に、部品とりつけ位置面、回路図と部品リスト面、固定抵抗器カラーコード解読面、電子回路説明面、の４つにわけた部分をカラー印刷しておくことで所定の位置に電子部品を間違えず取り付けられるよにしておき、電子回路組み立てに必要な情報も印刷面から得られるようにした、ソルダーレスブレッドボード用くみたて補助シート。
【発明の詳細な説明】
【技術分野】
【０００１】  ハンダごて不要の電子回路組み立て装置
【背景技術】
【０００２】  ユニバーサル基板、蛇の目基板使用などハンダごてを必要とする電子回路組み立方法が一般的な手法
【発明の概要】
【発明が解決しようとする課題】
【０００３】  実験、研究開発のための電子回路組み立てには前記の背景技術で述べた方法以外に市販品のソルダーレスブレッドボードが存在する。縦横網目状に電子部品やワイヤーを挿し込むソケット穴が並べてあり、このソケットの内部は各５個づつが接続された状態になっている。そして５個づつ接続されたソケットが多数並べてあるのでソケット穴の合計数は一番小型のブレッドボードでも数百個並ぶ事になる。このソルダーレスブレッドボードはハンダごてを必要としないので初心者の電子工作にも向いてはいるのだが、同じ形状のソケット穴があまりにも多数並んでいるため差し込む穴を間違えることが多く、長年使用している経験者でも間違えてしまうこともある。またこの作業を進めるとき組み立てている回路の参考情報なども不足になる。
以上の点が課題になっている。
【課題を解決するための手段】
【０００４】  図２にあるように、使用するソルダーレスブレッドボード部品取り付け面４倍の面積の薄くて丈夫な紙を縦横に折ると前記部品取り付け面と等しい大きさになるようにしておき、折り曲げてできた４つの面にそれぞれ、▲１▼部品とりつけ位置面、▲２▼回路図と部品リスト面、▲３▼固定抵抗器のカラーコード解読面、▲４▼電子回路の説明面、をカラー印刷しておく。これにより電子部品に全く知識や経験のない初心者でも▲１▼の面にとりつける部品のカラー印刷と挿し込む穴に従えば所定の位置に部品を間違えずに装着できる。このとき同時に▲２▼の印刷面を見ると今装着した部品番号から回路図内のどの部分に装着したのかがその部品名と共に理解でき、極性方向のある部品も間違いなく装着できる。ブレッドボード面には部品とりつけに必要な穴だけが印刷されているので全ての穴が埋まれば完成となり、部品の取り付け忘れはおきない。
【発明の効果】
【０００５】  以上、本発明は従来から使用されているソルダーレスブレッドボードにあった不足部分を補助することで、電子工作作初心者への電子回路組み立てのハードルを下げ、長年の使用経験者にもブレッドボードの使い勝手は改善される。使用する素材は紙に印刷をするだけなので量産は容易であり生産コストも予め穴をプレスで開けておく方法を採らず、使用者自身で部品取り付け穴をプッシュピンとユニバサル基板を使って開ける方式にすれば製品は非常に安価になる。特に子供向けの科学雑誌や学校教材、電子関係雑誌などには最適となる。
【図面の簡単な説明】
【０００６】
【図１】  市販のソルダーレスブレッドボードを上から見た部品取り付け面
【図２】  本発明のソルダーレスブレッドボード用くみたて補助シート、点線折曲げ部、実線は切断
【図３】  本発明の補助シートに市販のプッシュピンを使って電子部品取り付け穴を開けている様子
【図４】  本発明補助シートを開きソルダーレスブレッドボードに被せて電子部品を取り付けた状態
【図５】  本発明補助シートをソルダーレスブレッドボードに被せて完成させ▲３▼▲４▼面をたたんだ状態
【発明を実施するための形態】
【０００７】  薄くて丈夫な紙、０．１５ミリ厚程度の紙素材を、使用するソルダーレスブレッドボードの部品取り付け面の４倍の大きさで「田」の字状の面積に図２をカラー印刷して実線表示部分をカットし、点線表示部分を折り曲げれば完成する。雑誌などに付録させる場合は印刷したページの裏面にあたるページ部分は何も印刷せず白紙状態にしておくと使用するページが切りとられてもページ裏部分の情報は失われない。
【産業上の利用可能性】
【０００８】  用途は前記した他に、印刷された本発明品と共に組み立てに必要な電子部品を全て納めたパッケージをキットとして販売する方法や、学校向けの教材としての可能性も考えられる。
【符号の説明】
【０００９】１．市販のソルダーレスブレッドボード
２．本発明のソルダーレスブレッドボード用くみたて補助シート
３．本発明シートを折り曲げたとき開かないように留めておく部分
４．市販の針径約０．６ミリ、針長約７．５ミリのドローイングピンをシートアンカーピンに使用
５．市販の針径約１．２ミリ、針長約１０ミリのプッシュピン、シート穴あけ用に使用
６．シートにプッシュピンで穴あけ時の下敷き用スチロールシート
７．市販の２．５４ミリピッチユニバーサル基板、使用するブレッドボード面より少し大きい物
【図１】
2018074129.tif 000003
【図２】
2018074129.tif 000004
【図３】
2018074129.tif 000005
【図４】
2018074129.tif 000006
【図５】
2018074129.tif 000007
(57)【要約】      （修正有）【課題】従来は、通話手段として、一般の固定電話を利用するか、携帯電話を利用する方法が一般的であった。しかし固定電話では、電話の相手の氏名や電話番号等の控えが必要であり、携帯電話では電話料金も安価とは言えず、個人の負担も大きいものであった。初期の設置費用程度で済み、通話の時間においても料金を気にする事無く安心して通話が出来る通話装置を提供する。【解決手段】表示盤に氏名等を登録表示した、氏名等表示部と押釦部を配置し、通話したい相手の押釦部を押すことによって、インターネット等を介して簡単に通話が出来る。【選択図】図２
2018074555.tif 000002
【特許請求の範囲】
【請求項１】
氏名等を記した表示部を複数箇所、押釦部近傍に登録表示した表示盤を、氏名等を記した、それぞれの指定位置に配置し、各々配置された位置の所有者が、表示盤上の所有者本人以外の人の押釦部を押すことにより、インターネット等を介して、双方向の通話を可能にした一連の通話装置。
【発明の詳細な説明】
【技術分野】
【０００１】  本発明は、種々の団体や、各趣味の会等に所属する会員同士の、双方向の通話を可能にした装置である。
【背景技術】
【０００２】  従来の通話手段では、会員名簿等で会員の名前や電話番号等を確認し、押釦を押す等の操作によって、通話を可能としていた。
【発明の概要】
【発明が解決しようとする課題】
【０００３】  以上に述べた、従来の通話手段では、電話番号の控えを確認したり、押釦を押す等の作業が不便であった。【０００４】  本発明は、従来の通話手段とは異なり、表示盤に表示された氏名等を確認し、押釦を押すだけの操作で、確実に通話を可能にするものである。
【課題を解決するための手段】
【０００５】  本発明は、上記の目的を達成するために、表示盤に氏名等を登録表示した、氏名等表示部と押釦部を配置し、通話したい相手の押釦部を押すことによって、インターネット等を介して簡単に通話が出来るものである。
【発明の効果】
【０００６】  本発明の、通話装置は、従来の通話手段と異なり、通話する相手の電話番号等を控える必要も無く、又番号を何回も押すことも必要としない為に、簡単に早く、電話の相手と通話を可能にしたものである。
【図面の簡単な説明】
【０００７】
【図１】  本発明の通話装置の単体の全体図
【図２】  本発明の通話装置を実施した状態を示す配置図
【発明を実施するための形態】
【０００８】  以下、本発明の実施の形態を、図１、図２に基ずいて説明する。
【０００９】  図１、図２、においては、表示盤３の盤面に氏名等表示部１を設け、氏名等表示部１の近傍部に押釦部２を設けた、一連の通話装置４を、氏名等表示部１に登録した人達が、夫々一個ずつ所有し、各々が所有した通話装置をインターネット等を介して、接続したものである。
【００１０】  以上のように設定した、通話装置４の各々の所有者の内の一人が、他の所有者の氏名等表示部１の押釦部２を押すことにより、インターネット等を介して、通話を可能にするものである。
【００１１】  本発明の、通話装置４においては、種々の団体や趣味の会等に所属する、会員の親睦を図り絆を深める為にも効果を発揮するものである。
【図１】
2018074555.tif 000003
【図２】
2018074555.tif 000004
(57)【要約】      （修正有）【課題】ワイヤレス（Ｂｌｕｅｔｏｏｔｈ（登録商標）／Ｗｉ‐Ｆｉなど）設備の音声ワンタッチ接続方法を提供する。【解決手段】ワイヤレスのクライアント側（例：Ｂｌｕｅｔｏｏｔｈ／Ｗｉ‐Ｆｉスピーカー）の電源をＯＮにした時点で、該当設備のＩＤ番号と設備名称（例：Ｂｌｕｅｔｏｏｔｈ／Ｗｉ‐Ｆｉ通信用のＩＤと名称）を音声フォーマットデータ変換して、音声をスピーカーより流し、ワイヤレスのサーバ側（例：携帯電話）のマイクをクライアント側（例：Ｂｌｕｅｔｏｏｔｈ／Ｗｉ‐Ｆｉスピーカー）に向いて、音波を拾い、サーバ側（例：携帯電話）が音声データ中のＩＤと名前をピックアップして、該当ＩＤでクライアント側（例：Ｂｌｕｅｔｏｏｔｈ／Ｗｉ‐Ｆｉスピーカー）と接続確立する。【選択図】図１
2018074554.tif 000002
【特許請求の範囲】
【請求項１】
ワイヤレス（Ｂｌｕｅｔｏｏｔｈ／Ｗｉ−Ｆｉなど）設備の音波接続確立方法。
【発明の詳細な説明】
【技術分野】
【０００１】本発明は、ワイヤレス設備の接続確立分野である。
【背景技術】
【０００２】従来は、ワイヤレス接続の確立は二通りあります。
（１）  設備名称の選択より接続確立方法：
一つの設備（例えば：携帯電話）で、接続しようとする設備（例えば：Ｂｌｕｅｔｏｏｔｈ／Ｗｉ‐Ｆｉ音響スピーカー）の名称を探し、接続確立する。
（２）  タッチ接続確立方法：
例：一つのＮＦＣ機能のある設備がもう一つのＮＦＣ機能のある設備をタッチして接続確立する。
【発明が解決しようとする課題】
【０００３】（１）“設備名称の選択より接続確立方法”の操作が面倒。
（２）“ワンタッチ接続確立方法”はハードウェアが必要で、電力が消耗している。
以上  二つの課題を、解決する。
【課題を解決するための手段】
【０００４】  ワイヤレス（例：Ｂｌｕｅｔｏｏｔｈ／Ｗｉ‐Ｆｉなど）設備中のプログラムを以下のように追加して、該当課題を解決する手段とする。
（１）  ワイヤレスのクライアント側（例えば：Ｂｌｕｅｔｏｏｔｈ／Ｗｉ‐Ｆｉスピーカー）の電源をＯＮにした時点で、該当設備のＩＤ番号と設備名称（例：Ｂｌｕｅｔｏｏｔｈ／Ｗｉ‐Ｆｉ通信用のＩＤと名称）を音声フォーマットデータ変換して、音声をスピーカーより流す。
（２）  ワイヤレスのサーバ側（例えば：携帯電話）のマイクを（１）のスピーカーに向いて、音波を拾う。音声データ中のＩＤと名前をピックアップして、該当ＩＤでクライアントと接続確立ができること。
（３）  （１）と（２）は音波接続方法であること。
【発明の効果】
【０００５】  本発明の効果は、安価で普及しやすく、操作便利のワイヤレス接続確立方法となる。ワイヤレス接続確立の一つ規格となる可能性が高い。
特にワイヤレススピーカーと携帯電話に対して、音波通信でワンタッチ接続を確立することができる。現在ワイヤレススピーカー中のＢｌｕｅｔｏｏｔｈ／Ｗｉ‐Ｆｉモジュールを利用し、携帯電話にソフトをダウンロードして、安価（無料）で、簡単な操作、ユーザが好む製品となる。
【図面の簡単な説明】
【０００６】
【図１】  図１のように携帯電話等の設備機器とワイヤレス（Ｂｌｕｅｔｏｏｔｈ／Ｗｉ‐Ｆｉなど）設備機器の音波接続確立方法であること。▲１▼〜▲４▼は音波データを発信する。▲９▼は音波データを受信する。▲１０▼はデータ解析し、ＩＤと名称を取得する。▲１１▼クライアントへ接続。▲５▼▲６▼接続成立。▲７▼音波発信を中止、接続完了とする。
【発明を実施するための形態】
【０００７】  本発明の実施形態は、ワイヤレス通信できる設備のプログラムを変更する。クライアント側はスピーカーが必要です。サーバ側がマイク必要です。
【図１】
2018074554.tif 000003
(57)【要約】【課題】  営業担当者が新規見込客を獲得するための営業管理システムを提供することにある。【解決手段】  営業先に配布する商品チラシに当該商品チラシを配布する営業担当者の識別情報及び営業先向けの動画又はウェブサイトへのアクセス情報を記録した二次元バーコードを付記する配布物作成機能と、営業担当者から配布物を受け取り当該配布物に付記された二次元バーコード経由で営業先向けの動画又はウェブサイトへアクセスした営業先にウェブフォームへの入力を促すウェブフォーム入力機能と、ウェブフォーム入力機能によって入力された結果を出力する結果出力機能と、を備える。【選択図】  図１
2018180607.tif 000002
【特許請求の範囲】
【請求項１】
営業先に配布する配布物に当該配布物を配布する営業担当者の識別情報及び営業先向けの動画又はウェブサイトへのアクセス情報を記録した二次元バーコードを付記する配布物作成機能と、
営業担当者から配布物を受け取り当該配布物に付記された二次元バーコード経由で営業先向けの動画又はウェブサイトへアクセスした営業先にウェブフォームへの入力を促すウェブフォーム入力機能と、
ウェブフォーム入力機能によって入力された結果を出力する結果出力機能と、
を備えたことを特徴とする営業管理システム。
【請求項２】
ウェブフォーム入力機能は、ウェブフォームに個人情報およびアンケートの入力を促すことを特徴とする請求項１記載の営業管理システム。
【請求項３】
結果出力機能は、営業担当者別にウェブフォームへの入力件数を出力することを特徴とする請求項１又は２記載の営業管理システム。
【発明の詳細な説明】
【技術分野】
【０００１】
本願発明は、営業担当者が新規見込客を獲得するための営業管理システムに関するものである。
【背景技術】
【０００２】
特許文献１では、特定の商品に対して、サンプル品や広告媒体を受け取った配布先が、上記商品に対してどの程度の関心を持っているを推測し、これに基づいて、特定の配布先に対して、関心ある時期を失することなく、積極的な情報の提供などの営業活動を適切に行うことができるようにした営業支援システムが開示されている。
特許文献２では、顧客が来店した店舗毎に、チラシなどの広告媒体による広告効果を測定することを可能にする広告効果測定サーバが開示されている。
特許文献３では、利用者が商品に関する情報を簡単に入手することができると共に、広告依頼主に対して宣伝効果を判断する材料を提供することができる情報提供サービスが開示されている。
【先行技術文献】
【特許文献】
【０００３】
【特許文献１】特開２０１１−２４２９５３号公報
【特許文献２】特開２００９−２８８９０６号公報
【特許文献３】特開２００２−１１１９０９号公報
【発明の概要】
【発明が解決しようとする課題】
【０００４】
上記特許文献１〜特許文献３は、広告やサンプル品等に対する需要者の反応を測定し、それに基づいて効果的な営業活動を行うことを目的とするものである。
【０００５】
これに対して、本願発明者は、営業担当者を活性化させること、例えば、営業担当者が商品紹介やサービス紹介を積極的に行うようになることや、メーカーがパートナー（販売店）に対して商品紹介をする機会をより増やすことになる仕組みを提供すべく、本願発明を完成するに至った。
【課題を解決するための手段】
【０００６】
上記目的を達成するために、本願発明の第１の発明は、営業先に配布する配布物に当該配布物を配布する営業担当者の識別情報及び営業先向けの動画又はウェブサイトへのアクセス情報を記録した二次元バーコードを付記する配布物作成機能と、営業担当者から配布物を受け取り当該配布物に付記された二次元バーコード経由で営業先向けの動画又はウェブサイトへアクセスした営業先にウェブフォームへの入力を促すウェブフォーム入力機能と、ウェブフォーム入力機能によって入力された結果を出力する結果出力機能と、を備えたことを特徴とする営業管理システムである。
第２の発明は、ウェブフォーム入力機能が、ウェブフォームに個人情報およびアンケートの入力を促すことを特徴とした同営業管理システムである。
第３の発明は、結果出力機能が、営業担当者別にウェブフォームへの入力件数を出力することを特徴とした同営業管理システムである。
【発明の効果】
【０００７】
本願発明によれば、営業担当者が配布した配布物（例えば、チラシなど）から、だれの（どの営業担当者の）配布した配布物経由で見込客（潜在顧客）のアクセスが何件あったのか計測できるようになる。これにより、営業別の見込客獲得件数が明確（数値）になるため、成績優秀な営業担当者に対して褒賞を提供するなど見込客を積極的に獲得する動機付けになり、営業担当者を活性化させる仕組みになり得る。
【図面の簡単な説明】
【０００８】
【図１】本願発明に係る「営業管理システム」を説明する説明図（概念図）。
【図２】本願発明に係る「営業管理システム」を説明する説明図（フロー図）。
【発明を実施するための形態】
【０００９】
図１及び図２で、本願発明に係る「営業管理システム」の一例を説明する。
図１及び図２に図示する営業管理システムは、営業リーダーが商品チラシ（本願発明の配布物に相当）を作成し、その商品チラシに二次元バーコード（例えば、ＱＲコード：登録商標）を付記する。二次元バーコードには、当該商品チラシを配布する営業担当者の識別情報及び営業先向けの動画又はウェブサイトへのアクセス情報が記録されている。
【００１０】
営業担当者からその商品チラシを受け取った営業先は、当該商品に興味がある場合、広告チラシにある二次元バーコード経由で営業先向けの動画又はウェブサイトへアクセスし、当該商品についてより詳しい説明を受けることができる。そして、動画・ウェブサイトを閲覧した営業先に対してウェブフォームを提示してその入力を促す。その結果、動画を経由してウェブフォームで個人情報等を入力、または、ウェブサイトを経由してウェブフォームで個人情報やアンケート等を入力した場合、各営業担当者が新規に見込客（潜在顧客）を獲得したと定義する。
【００１１】
この営業管理システムによれば、どの営業担当者の配布した商品チラシ経由で見込客（潜在顧客）のアクセスが何件あったのかを計測できるようになる。これにより、営業別の見込客獲得件数が明確（数値）になるため、成績優秀な営業担当者に対して褒賞を提供するなど見込客を積極的に獲得する動機付けになり、営業担当者を活性化させる仕組みになり得る。
【００１２】
すなわち、見込客（潜在顧客）に手入力でキャンペーンコードのような営業を指定する情報の入力をさせる必要なく、営業担当者（個人）を特定できる仕組みの実現が本願発明の最大の特徴である。
【産業上の利用可能性】
【００１３】
本願発明は、営業担当者を活性化させるために、本システム単体として、又は他のシステムのオプションとして幅広く利用できるものである。
【図１】
2018180607.tif 000003
【図２】
2018180607.tif 000004
(57)【要約】【課題】  オーディオ・アンプの音量を変える部分から機械的駆動部分を排除し、信号の出力電圧を変える回路を信号伝達系に入れない様にして、出来るだけ信号にノイズが入らない様にして、出力が聴感上リニアに聞こえるＡカーブになる様にする。【解決手段】  この為、この発明においては、音量の出力電圧を連続的に変える、コントロールの為にオペアンプを使い、その入力部にコンデンサーを使って、このコンデンサーの電圧を充放電する事に依り、その電圧を正確にオペアンプが出力する事に依り、アナログの信号の出力電圧を正確にコントロールしてボリュームの機能をはたす。また、アナログの信号の出力電圧をコントロールする回路を信号伝達系に入れない様にして、信号に出来るだけノイズを入れない様にして、出力が聴感上リニアに聞こえるＡカーブになる様に回路を構成する。【選択図】図１
2018011281.tif 000002
【特許請求の範囲】
【請求項１】
聴感上、リニアに聞こえる、機械的駆動部分の無いボリューム回路
【発明の詳細な説明】
【技術分野】
【０００１】  この発明はアナログ回路に関する。
【発明の概要】
【０００２】  この発明は、オーディオ・アンプの音量を変えるボリュームから機械的駆動部分を無くし、信号の伝達系に信号の出力電圧をコントロールする回路を入れない様に構成し、出力が聴感上リニアに聞こえるＡカーブになる様に構成した回路。
【背景技術】
【０００３】  今までのオーディオ・アンプの音量を変えるには、可変抵抗を使った機械的駆動部分の有る、手動のボリュームを使っていた。その為、長期間使用していると、機械的駆動部分からノイズが発生したりする。
【発明の開示】
【発明が解決しようとする課題】
【０００４】  オーディオ・アンプの音量を変える部分から機械的駆動部分を排除し、信号の出力電圧を変える回路を信号伝達系に入れない様にして、出来るだけ信号にノイズが入らない様にして、出力が聴感上リニアに聞こえるＡカーブになる様にする。
【課題を解決するための手段】
【０００５】  この為、この発明においては、音量の出力電圧を連続的に変える、コントロールの為にオペアンプを使い、その入力部にコンデンサーを使って、このコンデンサーの電圧を充放電する事に依り、その電圧を正確にオペアンプが出力する事に依り、アナログの信号の出力電圧を正確にコントロールしてボリュームの機能をはたす。また、アナログの信号の出力電圧をコントロールする回路を信号伝達系に入れない様にして、信号に出来るだけノイズを入れない様にして、出力が聴感上リニアに聞こえるＡカーブになる様に回路を構成する。
【発明の効果】
【０００６】  この回路をオーディオ・アンプのボリュームに使えば、押しボタン等を押している間だけコンデンサーが充放電して、コンデンサーの電圧が上下し、デジタル的に音量を連続的にコントロールできる。しかも、出力が聴感上リニアに聞こえるＡカーブになる様に回路を構成し、信号伝達系にこのアナログの信号をコントロールする回路が入っていないので、ノイズも入らない。また、コンデンサーの電圧のコントロールがデジタル的なので、デジタル機器でも使用できる。
【図面の簡単な説明】
【０００７】
【図１】が本発明の、出力が聴感上リニアに聞こえるＡカーブになる様に構成し、アナログ信号を連続的に、デジタル的にコントロールする回路である。この回路図は、入力電流の少ないＦＥＴ入力のオペアンプをボルテージ・ホロワとして使い、非反転入力にコンデンサーＣ１をつないで連続的に電圧を変化させ、このコンデンサーＣ１の電圧をオペアンプの出力電圧として得て、オペアンプの出力に回路としてＡカーブの出力となる様にＦＥＴ１をつなぎ、ＦＥＴ１のソースに抵抗Ｒ６をつなぐ。ＦＥＴ１のドレインは抵抗Ｒ３と抵抗Ｒ４のつなぎ目につなぎ、ＦＥＴ１のソースと抵抗Ｒ６のつなぎ目にＦＥＴ２のゲートをつなぐ。ＦＥＴ２のソースに抵抗Ｒ５をつなぎ、抵抗Ｒ５のもう一方はアースに落としている。ＦＥＴ１とＦＥＴ２にはＥモードで特性の揃った物を使う。アナログ信号の分圧用に抵抗を３本（Ｒ３、Ｒ４、Ｒ５）を使い、抵抗Ｒ４とＦＥＴ２のドレインをつなぎ、ＦＥＴ２のソースには抵抗Ｒ５をつないで、抵抗Ｒ５のもう一方はアースに落としている。入力のコンデンサーＣ１の電圧に依ってオペアンプの出力電圧が変わり、この電圧がＦＥＴ１、ＦＥＴ２を通して抵抗Ｒ５に現れる。余計なアナログ信号の電流はオペアンプに流れ込み、結果として、アナログ信号が抵抗Ｒ４、抵抗Ｒ５で分圧されて、入力のコンデンサーＣ１の電圧がオペアンプの出力電圧として抵抗Ｒ５に現れ、これが信号のボリュームの役割を果たす。アナログの信号伝達系にオペアンプが入っていないので、このオペアンプは多少ノイズが出る物でも良く、ただ、正確に入力電圧を出力するオペアンプが必要である。アナログの信号出力はオペアンプのプラス側片方のみを使っている。入力のコンデンサーＣ１の電流の充放電には、アナログ・スイッチを使い、これをデジタル的にオン／オフする事でコンデンサーＣ１の電圧をコントロールしている。急速な電源のオン／オフにも対応できる様にダイオードＤ１を入れてある。アナログ・スイッチの電源・アース側につながっている抵抗Ｒ１、Ｒ２はコンデンサーＣ１への充放電の電流制限用の抵抗である。アナログ・スイッチのオン／オフにはＤ−ＦＦをＴ−ＦＦとして使っている。アナログ信号の入力にはカップリング・コンデンサーＣ２を抵抗Ｒ３と抵抗Ｒ４のつなぎ目につなぎ、その信号の出力は抵抗Ｒ４と抵抗Ｒ５のつなぎ目に、カップリング・コンデンサーＣ３をつないで増幅回路へ出力している。
【関連特許】
特願２０１６−３２４６０
【図１】
2018011281.tif 000003
(57)【要約】      （修正有）【課題】多くの電子タバコでタバコフィルターやタバコカプセルの装着を可能とする電子タバコ用コネクターチューブを提供する。【解決手段】柔軟性・耐水性・耐熱性のある人体に無害な素材を使用したチューブ１に電子タバコ３と市販のタバコフィルターや市販のタバコカプセル等２を各両方の端から通しチューブの弾力で各ホールドし接続する。【選択図】図１
2018011586.tif 000002
【特許請求の範囲】
【請求項１】
柔軟性・耐水性・耐熱性のある人体に無害な素材を使い、電子タバコとタバコフィルターやタバコカプセル等とをコネクターチューブ単体で相互に接続する事で接続を単純化し、多くの電子タバコに対し同じ動作で簡単に着脱及び吸引を可能とする事を特徴とする電子タバコ用コネクターチューブ。
【請求項２】
抜け落ち防止効果並びに転がり防止効果がある曲線を特徴とする電子タバコ用コネクターチューブ。
【請求項３】
チューブ内清掃がし易い透明チューブを特徴とする電子タバコ用コネクターチューブ。
【発明の詳細な説明】
【技術分野】
【０００１】  この発明は、電子タバコ用コネクターチューブ  に関する。
【発明の概要】
【発明が解決しようとする課題】
【０００２】  殆どの電子タバコは市販のタバコフィルターや市販のタバコカプセルの装着が出来ない。そこで、この発明は、多くの電子タバコでタバコフィルターやタバコカプセルの装着を可能とする事を課題とする。
【課題を解決するための手段】
【０００３】  以上の課題を解決するために、第一発明は、柔軟性・耐水性・耐熱性のある人体に無害な素材を使い、電子タバコとタバコフィルターやタバコカプセル等とをコネクターチューブ単体で相互に接続する事で接続を単純化し、多くの電子タバコに対し同じ動作で簡単に着脱及び吸引を可能とする事を特徴とする電子タバコ用コネクターチューブである。
第二発明は、チューブが緩やかにカーブしている事を特徴とする電子タバコ用コネクターチューブである。
第三発明は、透明チューブを特徴とする電子タバコ用コネクターチューブである。
【発明の効果】
【０００４】  第一発明によれば、コネクターチューブの柔軟性により生じる弾力のみを使う事で相互の着脱が簡単に可能となり、その柔軟性により口径の異なる物を含め多くの電子タバコとタバコフィルターやタバコカプセル等をコネクターチューブ単体で接続、吸引が可能となるものである。更にはコネクターチューブ以外の部品が無い為、製造コストを抑えられ尚且つ故障や破損機会も少ないものである。
第二発明によれば、コネクターチューブが緩やかにカーブしている事により、カーブしていないチューブと比べ接続部位からの抜け落ち防止効果があるものである。またコネクターチューブが緩やかにカーブしている事により、コネクターチューブを接続した電子タバコ等を置いた際に転がり防止効果があるものである。
第三発明によれば、コネクターチューブを透明とすることで内部の様子が見え電子タバコ吸引後に水滴箇所などコネクターチューブの内部清掃が容易となるものである。
【図面の簡単な説明】
【０００５】
【図１】この発明の一実施形態を示す斜視図である。
【発明を実施するための形態】
【０００６】  この発明の一実施形態を、図１に示す。
電子タバコ用コネクターチューブの本体１は透明で柔軟性・耐水性・耐熱性のある人体に無害な素材を使い、緩やかなカーブを描いている。
この本体１は、電子タバコと市販タバコカプセルまたはフィルターとをコネクターチューブの弾力によりホールドし接続している。
【０００７】「実施形態の効果」
この実施形態によれば、多くの電子タバコで市販タバコフィルターや市販タバコカプセル等が同じ装着動作で簡単に使用可能となる。
「他の実施形態」
図１の実施形態では、電子タバコ用コネクターチューブは長さ５ｃｍ以下となるが吸引が可能な限り長くしても良い。
【符号の説明】
【０００８】１  電子タバコ用コネクターチューブ本体
２  市販タバコカプセルまたはタバコフィルター等
３  電子タバコ
【図１】
2018011586.tif 000003
(57)【要約】【課題】本発明は、主に、津波の時等に避難・護身の為に錨部分を固定物・浮遊物等に絡ませて使用する錨付きロープで、ロープの長・短は移動スナップにて出来ロープの後端は、体に巻きつけ固定する。【解決手段】ロープに結びつけた錨を、高所にある物体に絡ませロープの後部端には回転スナップ（４）を付けたロープを体に巻きつけ、回転スナップ掛けリング（５）に掛け、体から離れないようにした錨付き避難ロープである。【選択図】図１
2018011910.tif 000002
【特許請求の範囲】
【請求項１】
ロープに結びつけた錨の引っ掛け具が、障害物を捉え手では持ちこたえられないので、ロープの後端に回転スナップを付けたロープを体に巻きつけ回転スナップ掛けリングに掛け、ロープが放れないようにした、ロープの長さはロープを通した移動スナップで、長さ調節は結び目にて固定出来る、錨付き避難ロープ。
【発明の詳細な説明】
【技術分野】
【０００１】本発明は、主に、津波の時等に避難・護身の為に錨部分を固定物・浮遊物等に絡ませて使用する錨付きロープで、ロープの長・短は移動スナップにて出来ロープの後端は、体に巻きつけ固定する。
【背景技術】
【０００２】従来は、逃げ遅れた時は津波の力で流され、同津波が曳く時海上沖まで流される儘に成っていて、流れが速く自分の力での脱出は無理である。
【発明の概要】
【発明が解決しようとする課題】
【０００３】この発明は、津波発生の時、逃げ遅れると海中に投げ出される、
（１）高層ビルがあっても、そのビルの屋上などの手すり等捕まえる事は無理である。
（２）山中に逃げ込む時、急坂を登るときは上部の木等を捕まえる事は出来ない。
（３）その他、屋根の雪下ろし、登山、にも使用でき落下防止になる。
本発明は、以上のような問題点を解決すためになされたものである。
【課題を解決するための手段】
【０００４】ロープに結びつけた錨を、高所にある物体に絡ませロープの後部端には回転スナップ（４）を付けたロープを体に巻きつけ、回転スナップ掛けリング（５）に掛け、体から離れないようにした錨付き引っ掛けロープである。
【発明の効果】
【０００５】従来不可能な津波の人的被害が防げる、又、屋根作業時に足を滑らしても錨付引っ掛けロープを使って落下が防げる、そして若し不幸な状態になった時、一体の体を捜すより、ロープをその長さで発見し易くなる。
【図面の簡単な説明】
【０００６】
【図１】本発明の斜視図である
【図２】移動スナップの斜視図である
【図３】本発明の使用状態（津波時）を示す図である
【図４】本発明の使用状態（屋根上作業時）を示す図である
【発明を実施するための形態】
【０００７】  以下、発明を実施するための形態について説明する。
（イ）錨の引かけ具（１）の錨ロープ結び輪（２）の部分にロープ（３）を結ぶ。
（ロ）ロープの最後（３）に回転スナップ（４）の輪部分に結び固定する。
（ハ）回転スナップ（４）より、胸付近に巻きつける長さの部分に、回転スナップ留め（５）を固定する、ロープには約５０センチ程の間隔の結び目（７）を作り（８）移動スナップでロープを手繰りで寄せる。
（二）移動スナップ（８）は、ロープ通り穴と結び部分が移動出来、手首に巻くロープ（１２）で輪を作り移動留め結び目で、固定させ長さの調節をする。
（ホ）図４に示すように、屋根上作業のときは、反対側の軒等に錨の引っ掛け具（１）を掛け使用する。
本発明は以上の様な構造である。
本発明を使用するときは、回転スナップ（４）部分を体に巻き回転スナップ掛けリング（５）に掛け固定する、津波は強流のため手では持ちきれない、後は津波が曳く時・海底に投げ込み錨が水没地面の固定部に錨が架かるようにする事で沖合いに流されなくなる。
【符号の説明】
【０００８】１・錨の引っ掛け具、  ２・錨ロープ結び輪、  ３・ロープ、  ４・回転スナップ、  ５・回転スナップ掛けリング、  ６・長さ調節結び目、  ７・移動スナップ、  ８・人、  ９・固定物、  １０・移動スナップロープ通溝、  １１・ロープ結び目通し穴、  １２・手首巻きロープ、  １３・屋根。
【図１】
2018011910.tif 000003
【図２】
2018011910.tif 000004
【図３】
2018011910.tif 000005
【図４】
2018011910.tif 000006